(57)【要約】【課題】  正常状態から異常状態に至るまでの過程を作業者に知らせることができるガス警報装置を提供する。【解決手段】  ガス警報装置１は、一酸化炭素を検出する一酸化炭素センサ８Ｂと、一酸化炭素センサ８Ｂによる検出値が所定値を超えた場合に、警報情報を出力するパイロットランプ５及びスピーカ部７と、前記検出値が前記所定値を超える前の状態である正常状態から、当該検出値が前記所定値を超えた後の状態である異常状態に至るまでの間、当該検出値を数値で継続的に表示する表示部３とを備えている。【選択図】    図２
2011070553.tif 000002
【特許請求の範囲】
【請求項１】
一酸化炭素を検出する一酸化炭素センサと、
前記一酸化炭素センサによる検出値が所定値以上となった場合に、警報情報を出力する警報情報出力部と、
少なくとも、前記検出値が前記所定値以上となる前の状態である正常状態から、当該検出値が前記所定値以上となった後の状態である異常状態に至るまでの間、当該検出値を数値で継続的に表示する表示部と
を備える、ガス警報装置。
【請求項２】
前記一酸化炭素センサによる検出値が所定値以上となった場合に出力する隠語情報を記憶する隠語情報記憶部をさらに備え、
前記警報情報出力部は、前記一酸化炭素センサによる検出値が所定値以上となった場合に、前記隠語情報記憶部に記憶されている隠語情報を音声にて出力するように構成されている、請求項１に記載のガス警報装置。
【請求項３】
通信回線を介して外部の通信装置と通信可能に接続するための通信部をさらに備え、
当該通信部は、少なくとも、前記検出値が前記所定値以上となる前の状態である正常状態から、当該検出値が前記所定値以上となった後の状態である異常状態に至るまでの間、当該検出値を示す情報を前記通信装置に対して継続的に送信するように構成されている、請求項１または２に記載のガス警報装置。
【請求項４】
酸素を検出する酸素センサをさらに備え、
前記警報情報出力部は、前記酸素センサによる検出値が所定値以下となった場合に、警報情報を出力するように構成され、
前記表示部は、少なくとも、前記酸素センサによる検出値が所定値以下となる前の状態である正常状態から、当該検出値が前記所定値以下となった後の異常状態に至るまでの間、当該検出値を数値で継続的に表示するように構成されている、請求項１乃至３の何れかに記載のガス警報装置。
【発明の詳細な説明】
【技術分野】
【０００１】
本発明は、一酸化炭素等のガスを検出し、その検出した結果に基づいて警報を出力するガス警報装置に関する。
【背景技術】
【０００２】
一酸化炭素は無色・無臭であるため、その発生に気付くことなく作業者が中毒に陥る危険性が高い。そのため、一酸化炭素漏れが発生した場合にその旨を警告するためのガス警報装置が種々提案されている。
【０００３】
例えば、特許文献１には、酸素濃度１８％中における一酸化炭素濃度と血液中の一酸化炭素ヘモグロビン濃度が所定量になるまでの到達時間との関係を用いて一酸化炭素漏れの警告を発するか否かを判断し、発する必要があると判断した場合に音声にて警報を発するガス警報器が開示されている。このガス警報器によれば、周辺にいる作業者は異常状態が発生したことを音声にて容易に知ることができ、一酸化炭素中毒に陥ることを防止することができる。
【先行技術文献】
【特許文献】
【０００４】
【特許文献１】特開２００７−３２８５７７号公報
【発明の概要】
【発明が解決しようとする課題】
【０００５】
しかしながら、上記の従来のガス警報器の場合、異常状態が発生したときにそのことを作業者が突然知ることになるため、慌ててしまい、適切な対応をとる余裕がなくなってしまうという問題がある。また、相当程度の騒音が発生するような飲食店の厨房等の作業場においては、音声情報では作業者に危険状態を知らせることが困難なことも考えられる。その対策として、大ボリュームで音声情報を出力することにすると、作業者をより一層慌てさせてしまうという不都合が生じ得る。
【０００６】
本発明は斯かる事情に鑑みてなされたものであり、その主たる目的は、作業者を慌てさせることなく、一酸化炭素漏れ等について警告を発することができるガス警報装置を提供することにある。
【課題を解決するための手段】
【０００７】
上述した課題を解決するために、本発明の一の態様のガス警報装置は、一酸化炭素を検出する一酸化炭素センサと、前記一酸化炭素センサによる検出値が所定値以上となった場合に、警報情報を出力する警報情報出力部と、少なくとも、前記検出値が前記所定値以上となる前の状態である正常状態から、当該検出値が前記所定値以上となった後の状態である異常状態に至るまでの間、当該検出値を数値で継続的に表示する表示部とを備えている。
【０００８】
この態様において、前記一酸化炭素センサによる検出値が所定値以上となった場合に出力する隠語情報を記憶する隠語情報記憶部をさらに備え、前記警報情報出力部が、前記一酸化炭素センサによる検出値が所定値以上となった場合に、前記隠語情報記憶部に記憶されている隠語情報を音声にて出力するように構成されていてもよい。
【０００９】
また、前記態様において、通信回線を介して外部の通信装置と通信可能に接続するための通信部をさらに備え、当該通信部が、少なくとも、前記検出値が前記所定値以上となる前の状態である正常状態から、当該検出値が前記所定値以上となった後の状態である異常状態に至るまでの間、当該検出値を示す情報を前記通信装置に対して継続的に送信するように構成されていてもよい。
【００１０】
さらに、前記態様において、酸素を検出する酸素センサをさらに備え、前記警報情報出力部が、前記酸素センサによる検出値が所定値以下となった場合に、警報情報を出力するように構成され、前記表示部が、少なくとも、前記酸素センサによる検出値が所定値以下となる前の状態である正常状態から、当該検出値が前記所定値以下となった後の異常状態に至るまでの間、当該検出値を数値で継続的に表示するように構成されていてもよい。
【発明の効果】
【００１１】
本発明に係るガス警報装置によれば、正常状態から異常状態に至るまでの過程を作業者が容易に確認することができる。
【図面の簡単な説明】
【００１２】
【図１】本発明の実施の形態１に係るガス警報装置の外観構成を示す正面図。
【図２】本発明の実施の形態１に係るガス警報装置の構成を示すブロック図。
【図３】本発明の実施の形態２に係るガス警報装置を含むガス警報システムの構成を示すブロック図。
【発明を実施するための形態】
【００１３】
以下、本発明の好ましい実施の形態を、図面を参照しながら説明する。
【００１４】
（実施の形態１）
実施の形態１は、例えば飲食店の厨房または一般家庭の台所付近等に壁掛けされる等して設置されるガス警報装置である。以下、その構成及び動作について説明する。
［ガス警報装置の構成］
図１は、本発明の実施の形態１に係るガス警報装置の外観構成を示す正面図である。図１に示すように、本実施の形態のガス警報装置１は、直方体状のケーシング２と、ケーシング２の正面の上段左側に設けられた表示部３と、同じく上段右側に設けられた入力部４、パイロットランプ５、スタンバイランプ６Ａ、フィルター交換時期を知らせるための交換通知用ランプ６Ｂ、及びスピーカ部７とを備えている。ここで、表示部３は、空気中の酸素濃度の数値をデジタル数字で表示する酸素濃度表示部３Ａと、同じく一酸化炭素濃度の数値をデジタル数字で表示する一酸化炭素濃度表示部３Ｂと、温度をデジタル数字で表示する温度表示部３Ｃと、エラーの種類に対応する記号を表示するエラー表示部３Ｄとを具備している。また、入力部４は、校正を行うときに押下される校正ボタン４Ａと、パイロットランプ５及びスピーカ部７による警報情報の出力を停止させるときに押下される停止ボタン４Ｂとを具備している。
【００１５】
ケーシング２の正面の下段左側には、ケーシング２内と連通した複数のガス通流口（図示せず）が形成されており、それらのガス通流口を覆うようにしてフィルター９が配設されている。また、ケーシング２内においてフィルター９と対向する位置には、空気中の酸素濃度を検出する酸素センサ８Ａ及び同じく一酸化炭素濃度を検出する一酸化炭素センサ８Ｂを収容するセンサ収容部８が設けられている。これらの酸素センサ８Ａ及び一酸化炭素センサ８Ｂは、上記のガス通流口を介してケーシング２内に通流した空気のガス濃度を検出する。
【００１６】
なお、ケーシング２内の適宜の位置にファンを設け、そのファンを作動させることによってケーシング２外の空気をケーシング２内に強制的に吸入するようにしてもよく、また、自然吸気によってケーシング２内に空気を導入するようにしてもよい。
【００１７】
センサ収容部８の内部には、上述した一酸化炭素センサ８Ｂと酸素センサ８Ａとが左右に並設されている。これらの各センサは公知のものを採用することができる。例えば、一酸化炭素センサ８Ｂとしては低電位電解式のセンサ等を用いることができ、また酸素センサ８Ａとしては隔膜ガルバニ電池式のセンサ等を用いることができる。
また、センサ収容部８の内部には図示しない温度センサも設けられている。この温度センサの検出値は、上記の温度表示部３Ｃにてデジタル数字で表示される。
【００１８】
図２は、本発明の実施の形態１に係るガス警報装置１の構成を示すブロック図である。図２に示すように、上述した表示部３、入力部４、パイロットランプ５、スタンバイランプ６Ａ、交換通知用ランプ６Ｂ、スピーカ部７、酸素センサ８Ａ及び一酸化炭素センサ８Ｂの各ハードウェアは、制御部１０と接続されており、当該制御部１０によってその動作が制御される。
【００１９】
また、制御部１０には、各種のプログラム及びデータ等を記憶する記憶部１１が接続されている。制御部１０は、この記憶部１１に記憶されているプログラム及びデータ等に基づいて、上記の各ハードウェアの動作を制御する。その結果、ガス警報装置１は、後述する動作を実行することが可能となる。
【００２０】
記憶部１１には、空気中の酸素濃度が一定値以下となった場合、または空気中の一酸化炭素濃度が一定値以上となった場合に、異常状態が発生したことを通知するための隠語を示す隠語情報を格納する隠語情報データベース１１Ａを具備している。ここで「隠語」とは、特定の者にだけ通用する特別の語を意味する。本実施の形態の場合、ガス濃度が異常な値となっていることを示す語（例えば「酸素不足です」、「一酸化炭素漏れが検出されました」、「換気して下さい」等）は「隠語」には該当せず、それとはまったく関係がない語であって、特定の作業者のみがその意味するところを理解しているものが「隠語」となり得る。例えば、空気中の一酸化炭素濃度が一定値以上となった場合の隠語として「１ラインが確認されました」等が、同じく酸素濃度が一定値以下となった場合の隠語として「２ラインが確認されました」等が採用され得る。
【００２１】
なお、酸素センサ８Ａ及び一酸化炭素センサ８Ｂは、図示しないＡ／Ｄ変換器を介して制御部１０と接続されている。酸素センサ８Ａ及び一酸化炭素センサ８Ｂによって生成されたガス濃度の検出値を示すアナログデータは、当該Ａ／Ｄ変換器にてデジタルデータに変換された後、制御部１０に供給される。その結果、制御部１０は、空気中の酸素濃度及び一酸化炭素濃度を検知することができる。
【００２２】
［ガス警報装置の動作］
次に、以上のように構成された本実施の形態のガス警報装置１の動作について説明する。
飲食店の厨房に壁掛け等されているガス警報装置１は、フィルター９を介して厨房内の空気を取り込み、その空気の酸素濃度を酸素センサ８Ａにて、同じく一酸化炭素濃度を一酸化炭素センサ８Ｂにてそれぞれ検出する。これらの酸素センサ８Ａ及び一酸化炭素センサ８Ｂは、検出値を示すアナログデータを上記のＡ／Ｄ変換器に継続的に出力し、当該Ａ／Ｄ変換器はそのアナログデータをデジタルデータに変換して制御部１０に対し継続的に出力する。その結果、制御部１０は、空気中の酸素濃度及び一酸化炭素濃度を継続的に検知することができ、それらの濃度を表示するように表示部３に対して継続的に指示する。これにより、酸素濃度表示部３Ａにおいては空気中の酸素濃度が、一酸化炭素濃度表示部３Ｂにおいては空気中の一酸化炭素濃度が、それぞれデジタル数字で継続的に表示される。したがって、空気中の酸素濃度及び一酸化炭素濃度が異常な値を示している場合だけではなく、正常な値を示している場合においても、それらの濃度が数値で継続的に表示されることになる。
【００２３】
以上のように、表示部３において、経時的に変化する空気中の酸素濃度及び一酸化炭素濃度を継続的に表示することにより、厨房内の作業者は、その変化を確認することができる。そのため、当該作業者は、検出値が異常値に近づく過程、検出値が異常値から正常値へ戻る過程、及び検出値が変化しない様子等を把握することができる。検出値が異常値に近づく過程、すなわち正常状態から異常状態に向かう過程を作業者が把握した場合、近い将来異常状態が起こり得ることを予測することができるため、それを回避するための対策（換気する等）をとったり、それが起きたときの対応を確認したりする等の処置を講ずることができる。
【００２４】
空気中の酸素濃度が所定値（例えば１８％）以下となったり、一酸化炭素濃度が所定値（例えば１００ｐｐｍ）以上となったりした場合、制御部１０は、パイロットランプ５を点灯させる。これにより、厨房内の作業者に対して異常状態が発生したことを知らせることができる。なお、パイロットランプを２個設け、酸素濃度が異常値を示した場合には一方のパイロットランプを、一酸化炭素濃度が異常値を示した場合には他方のパイロットランプを点灯させることにより、異常状態の種別が分かるような構成にしてもよい。また、パイロットランプ５の点灯とともにブザー音をスピーカ部７から出力することにより、作業者に対してより一層注意を促すようにしてもよい。
【００２５】
また、制御部１０は、上記と同様に空気中の酸素濃度が所定値以下となったり、一酸化炭素濃度が所定値以上となったりした場合、パイロットランプ５の点灯とともに、またはパイロットランプ５の点灯に代えて、隠語情報データベース１１Ａ中の隠語情報を音声出力するようにスピーカ部７に対して指示する。この場合、厨房内の作業者のうち隠語情報を理解している作業者のみが、異常状態が発生したことを把握することになる。これにより、異常状態の発生を知る必要性が高い作業者のみに対してその旨を知らせるようなことが可能となるため、作業者全員が異常を知ることによってパニック状態に陥る等の事態を回避することができる。
【００２６】
なお、換気等の結果、空気中の酸素濃度及び一酸化炭素濃度の検出値が正常な値となった場合、制御部１０は、パイロットランプ５及びスピーカ部７による警報情報の出力を停止する。ただし、この場合であっても、空気中の酸素濃度及び一酸化炭素濃度の検出値は表示部３にて表示される。この表示を参照することにより、作業者は、空気中の酸素濃度及び一酸化炭素濃度が正常な値になったことを確認することができる。
【００２７】
また、制御部１０は、ガス警報装置１が稼働を開始してから一定時間（例えば１０００時間）経過した場合に、交換通知用ランプ６Ｂを点灯させる。これにより、作業者に対してフィルターの交換時期を知らせることができる。なお、調理中に発生するオイルミスト等の影響によりフィルターを早めに交換する必要が生じる場合があるため、制御部１０が、例えばケーシング２内に設けられているファンのモーターの回転数が低下しているか否か等を判断し、その結果低下していると判断した場合には上記の一定時間が経過する前に交換通知用ランプ６Ｂを点灯させるようにしてもよい。
【００２８】
（実施の形態２）
実施の形態２に係るガス警報装置は、実施の形態１の場合と異なり、外部の装置と通信することが可能なものである。以下、その構成及び動作について説明する。
［ガス警報装置の構成］
図３は、本発明の実施の形態２に係るガス警報装置を含むガス警報システムの構成を示すブロック図である。図３に示すように、このガス警報システムは、飲食店の厨房または一般家庭の台所付近等にそれぞれ設置されている複数の本実施の形態のガス警報装置２０，２０，…と、警備会社等に設置されている監視サーバ３０とを備えており、これらのガス警報装置２０，２０，…と監視サーバ３０とが、インターネット等の通信ネットワーク１００を介して通信可能に接続されている。
【００２９】
本実施の形態のガス警報装置２０は、通信ネットワーク１００を介して監視サーバ３０と有線または無線にて通信するための通信部を備えている。ガス警報装置２０のそれ以外の構成については実施の形態１のガス警報装置の場合と同様であるため、その説明は省略する。また、監視サーバ３０は、通信ネットワーク１００に接続可能な通信機能を有するコンピュータであり、ガス警報装置２０との間で各種のデータの送受信を行う。
【００３０】
［ガス警報装置の動作］
実施の形態１の場合と同様に、ガス警報装置２０は、空気中の酸素濃度及び一酸化炭素濃度を継続的に検出し、その検出値をデジタル数字で継続的に表示している。また、このように表示する以外にも、ガス警報装置２０は、通信ネットワーク１００を介して、前記検出値を示すデジタルデータを監視サーバ３０に対して継続的に送信する。これにより、監視サーバ３０側では、ガス警報装置２０における空気中の酸素濃度及び一酸化炭素濃度の検出値を監視することができる。
【００３１】
監視サーバ３０は、検出値が異常値に近づいている場合及び異常値に達した場合に、その旨を知らせる情報をガス警報装置２０に対して送信する。この情報を受信したガス警報装置２０は、パイロットランプを点灯させたり、予め用意された当該情報に対応する隠語を示す隠語情報を音声にて出力したりすることによって、作業者に対して注意を促すことができる。また、監視サーバ３０側で異常を検出した場合、当該ガス警報装置２０が設置されている厨房に警備会社の作業員が出向き、その異常を解消するための作業を行うようにしてもよい。
【００３２】
（その他の実施の形態）
上記の各実施の形態においては、ガス警報装置が酸素濃度及び一酸化炭素濃度を検出するセンサを備えているが、例えば可燃性ガス及び硫化水素の濃度を検出するセンサを備え、そのセンサの検出結果に応じて警告を発するような構成であってもよい。
【００３３】
なお、上記の各実施の形態は、適宜組み合わせることが可能である。
【産業上の利用可能性】
【００３４】
本発明のガス警報装置は、飲食店の厨房等におけるガス警報装置等として有用である。
【符号の説明】
【００３５】
１    ガス警報装置
２    ケーシング
３    表示部
３Ａ  酸素濃度表示部
３Ｂ  一酸化炭素濃度表示部
３Ｃ  温度表示部
３Ｄ  エラー表示部
４    入力部
４Ａ  校正ボタン
４Ｂ  停止ボタン
５    パイロットランプ
６Ａ  スタンバイランプ
６Ｂ  交換通知用ランプ
７    スピーカ部
８    センサ収容部
８Ａ  酸素センサ
８Ｂ  一酸化炭素センサ
９    フィルター
１０  制御部
１１  記憶部
１１Ａ  隠語情報データベース
２０  ガス警報装置
３０  監視サーバ
１００  通信ネットワーク
【図１】
2011070553.tif 000003
【図２】
2011070553.tif 000004
【図３】
2011070553.tif 000005